(57)【特許請求の範囲】
【請求項１】
波長や偏光方向等の光特性と光軸方向が異なる光束を発生させる光源と、一対の基板間に液晶が挟持され、かつ、開口を有する画素を２次元的に配列された液晶表示パネルと、レンズを２次元的に配列させた２枚のレンズアレイと、前記２枚のレンズアレイの間に配置される透明樹脂層とを備え、
前記２枚のレンズアレイと前記透明樹脂層は、それぞれ互いに異なる屈折率を有し、
前記２枚のレンズアレイを、光出射側のレンズアレイの焦点距離だけ離間させ、かつ、それぞれのレンズを１対１に対応させて、液晶表示パネルの両側に配置して２枚のレンズアレイと前記透明樹脂と液晶表示パネルとを一体に形成し、
光入射側のレンズアレイの各レンズによって、入射光を、前記液晶表示パネルの基板のうち光入射側に位置する基板上に配列された画素部分においてほぼ１点に集光させ、入射光の光軸方向にかかわらず出射光の光軸方向が平行となるよう、光出射側のレンズアレイの各レンズによって光軸を変換するようにしたことを特徴とする画像プロジェクタ。
【請求項２】
波長や偏光方向等の光特性と光軸方向が異なる光束を発生させる光源と、一対の基板の間に液晶を挟持し、かつ、開口を有する画素を２次元的に配列された液晶表示パネルと、レンズを２次元的に配列させた２枚のレンズアレイと、前記２枚のレンズアレイの間に配置される透明樹脂層とを備え、
前記２枚のレンズアレイと前記透明樹脂層は、それぞれ互いに異なる屈折率を有し、
前記２枚のレンズアレイを、光出射側のレンズアレイの焦点距離だけ離間させ、かつ、それぞれのレンズを１対１に対応させて、液晶表示パネルよりも光入射側に配置して２枚のレンズアレイと前記透明樹脂とを一体に形成し、
両レンズアレイの各レンズによって、入射光を、前記液晶表示パネルの基板のうち光入射側に位置する基板上に配列された画素部分においてほぼ１点に集光させ、入射光の光軸方向にかかわらず出射光の光軸方向が平行となるよう、光出射側のレンズアレイの各レンズによって光軸を変換するようにしたことを特徴とする画像プロジェクタ。
【発明の詳細な説明】
【０００１】
【発明の属する技術分野】
本発明は画像プロジェクタに関する。特に、本発明は出射光の光軸を平行に揃えるためのレンズアレイ素子を用いた画像プロジェクタに関する。
【０００２】
【従来の技術】
図１及び図２は画像プロジェクタの２つの投射方式を示す。図１はフロント投射方式の画像プロジェクタ１を示しており、これは、スライドプロジェクタのように、スクリーン２の前方から画像プロジェクタ１によって画像を投影し、同じく前方から画像を観賞する方式である。また、図２はリア投射方式の画像プロジェクタ１を用いたＣＲＴプロジェクションテレビ３を示しており、これは、画像プロジェクタ１から投射された画像をミラー４，５で反射させて裏面側からスクリーン６に投射し、表側から画像を観賞する方式である。しかし、フロント投射方式に用いられる画像プロジェクタ１とリア投射方式に用いられる画像プロジェクタ１には、基本的な差異はない。
【０００３】
図３に示すものは、画像プロジェクタ１の構造を示す図であって、ランプ７と反射凹面鏡８からなる発光部９の前方に、２枚の偏光板１０，１１に挟まれた液晶表示パネル１２が配置され、その前方にコンデンサレンズ１３が配置されている。しかして、発光部９から出射された平行光が液晶表示パネル１２に照射されると、液晶表示パネル１２の各画素に入射した光線は、各画素のオン、オフに応じて各画素を透過し、あるいは遮断される。液晶表示パネル１２の画素を通過した光線は、コンデンサレンズ１３によってスクリーン２上に結像されるので、スクリーン２上には液晶表示パネル１２によって制御された画像が生成する。また、液晶表示パネル１２の各画素に赤、緑、青からなるカラーフィルタを設けることにより、カラー表示にすることもできる。
【０００４】
しかし、液晶表示パネル１２は、図４に示すように、ＴＦＴ１４を駆動するための配線等が設けられているブラックマトリクス領域１５や透明電極１６等を形成されたガラス基板１７と共通全面電極を形成されたガラス基板１８の間に液晶材料１９を封止したものであって、ブラックマトリクス領域１５によって囲まれた透明電極１６の部分が画素（画素開口）２０となっている。そのため、液晶表示パネル１２に平行光を照射すると、図５に示すように、液晶表示パネル１２に入射した光線の一部はブラックマトリクス領域１５によって遮られ、光の利用効率が低下し、スクリーン２に投影された画像が暗くなる。
【０００５】
そこで、明るくコントラストの高い画像を得るため、液晶表示パネル１２の前面にマイクロレンズアレイ２１を配置し、マイクロレンズアレイ２１の各レンズ２１ａを液晶表示パネル１２の各画素２０に対向させたものが提案されている。マイクロレンズアレイ２１を用いると、図６に示すように、マイクロレンズアレイ２１の各レンズ２１ａに入射した光線は、液晶表示パネル１２の画素２０に集光され、液晶表示パネル１２に入射した光がすべて画素２０を透過でき、光の利用効率が向上することになる。
【０００６】
一方、カラーフィルタを用いることなく画像プロジェクタをカラー表示にすることも試みられている。図７に示すものは、このような画像プロジェクタ２２の構造を示す概略図である。この画像プロジェクタ２２にあっては、光路上における発光部２３と液晶表示パネル１２の間に赤色光を反射するダイクロイックミラー２４、緑色光を反射するダイクロイックミラー２５、青色光を反射するダイクロイックミラー２６を互いに異なる角度に傾けて配置している。しかして、発光部２３から出射された光はコリメートレンズ２７でコリメートされた後、ダイクロイックミラー２４，２５，２６に斜め入射する。ダイクロイックミラー２４，２５，２６で反射された赤色平行光、緑色平行光、青色平行光（赤色光の領域には破線によるハッチングを施し、緑色光は太線で示している）は、それぞれ光軸方向（１点鎖線で光軸を示す）が異なっているから、レンズアレイ２１で集光されると、図８に示すように隣接した異なる画素２０に集光される。赤色光（Ｒ）が集光される画素と緑色光（Ｇ）が集光される画素と青色光（Ｂ）が集光される画素は３画素で一描点となっており、組をなす３画素を通過した光は光軸変換用のレンズ２８で屈折された後、結像レンズ２９によってスクリーン２上の１点に結像される。
【０００７】
しかしながら、このようなカラー表示用の画像プロジェクタ２２にあっては、液晶表示パネル１２の画素２０を通過後、レンズ２８に入射する赤色光、緑色光および青色光の光軸方向が大きく異なっているので（図７，図８）、結像レンズ２９として高級な組みレンズを用いる必要がある。そのため、結像レンズ２９のＦ値を小さくしづらくなり、収差コントロールなども困難になり、フロントプロジェクタ用としてはズームレンズの使用が難しくなる。また、組みレンズを用いると結像レンズ２９が大きくなって重量が大きくなり、コストも高くつくという問題があった。さらには、結像レンズ２９のＦ値が大きめになるので、マイクロレンズの焦点距離を故意に長いめに設定し、ＴＦＴ基板内に集光させたりしている。この場合、隣接画素（pixel）からの光の漏れが多くなる傾向にあり、結果的に混色率が大きくなり、色純度が悪化する一要因となっていた。因みに、ポリＳｉＴＦＴの場合には、画素サイズ２０〜３０μｍ□程度の液晶表示パネルで、投影レンズのＦ値は１.５程度が必要となる。
【０００８】
【発明が解決しようとする課題】
本発明は叙上の従来例の欠点に鑑みてなされたものであり、その目的とするところは、画像プロジェクタにおいて液晶表示パネル通過後の光線を合理的にすることにより、スクリーンに画像を結像させるための結像レンズの簡略化を図ることにある。
【０００９】
【課題を解決するための手段】
請求項１に記載の画像プロジェクタは、波長や偏光方向等の光特性と光軸方向が異なる光束を発生させる光源と、一対の基板間に液晶が挟持され、かつ、開口を有する画素を２次元的に配列された液晶表示パネルと、レンズを２次元的に配列させた２枚のレンズアレイと、前記２枚のレンズアレイの間に配置される透明樹脂層とを備え、前記２枚のレンズアレイと前記透明樹脂層は、それぞれ互いに異なる屈折率を有し、前記２枚のレンズアレイを、光出射側のレンズアレイの焦点距離だけ離間させ、かつ、それぞれのレンズを１対１に対応させて、液晶表示パネルの両側に配置して２枚のレンズアレイと前記透明樹脂と液晶表示パネルとを一体に形成し、光入射側のレンズアレイの各レンズによって、入射光を、前記液晶表示パネルの基板のうち光入射側に位置する基板上に配列された画素部分においてほぼ１点に集光させ、入射光の光軸方向にかかわらず出射光の光軸方向が平行となるよう、光出射側のレンズアレイの各レンズによって光軸を変換するようにしたことを特徴としている。
【００１０】
請求項２に記載の画像プロジェクタは、波長や偏光方向等の光特性と光軸方向が異なる光束を発生させる光源と、一対の基板の間に液晶を挟持し、かつ、開口を有する画素を２次元的に配列された液晶表示パネルと、レンズを２次元的に配列させた２枚のレンズアレイと、前記２枚のレンズアレイの間に配置される透明樹脂層とを備え、前記２枚のレンズアレイと前記透明樹脂層は、それぞれ互いに異なる屈折率を有し、前記２枚のレンズアレイを、光出射側のレンズアレイの焦点距離だけ離間させ、かつ、それぞれのレンズを１対１に対応させて、液晶表示パネルよりも光入射側に配置して２枚のレンズアレイと前記透明樹脂とを一体に形成し、両レンズアレイの各レンズによって、入射光を、前記液晶表示パネルの基板のうち光入射側に位置する基板上に配列された画素部分においてほぼ１点に集光させ、入射光の光軸方向にかかわらず出射光の光軸方向が平行となるよう、光出射側のレンズアレイの各レンズによって光軸を変換するようにしたことを特徴としている。
【００１１】
【発明の作用及び効果】
本発明の画像プロジェクタに用いられているレンズアレイ素子によれば、光軸の傾きの異なる入射光束を所定面内の異なる位置で集光させるとともに、その後光軸方向の揃った光として出射させることができる。
【００１２】
従って、画像プロジェクタに用いる場合には、入射光束の集光点に液晶表示パネルを配置することによってカラーフィルタを用いないカラー表示方式の画像フロジェクタを製作することができ、しかも、液晶表示パネルを通過した後の出射光線は光軸が揃っているので、出射光線をレンズで結像レンズに光を集めて結像レンズでスクリーンに結像させる場合、結像レンズの構成を簡略にしながら、結像レンズの収差を低減すると共にレンズのＦ値を小さくすることができる。よって、従来のように組みレンズのような高級なレンズを使用する必要がなく、結像レンズを軽量化できると共に結像レンズのコストを安価にできる。さらに、結像面をＴＦＴ面とすることができるので、光の集光によって画素面の実効開口率を大きくして光利用効率を向上させることができ、また漏れ光による混色率の低下を図ることができ、画像プロジェクタの色純度を向上させることができる。
【００１３】
【発明の実施の形態】
図９は本発明の一実施形態による画像プロジェクタ４１の構成を示す概略図である。全体の構成は、図７の従来例と類似しているが、液晶表示パネル１２とマイクロレンズアレイ素子４３を一体的に構成した部分が異なっている。
【００１４】
光源４４は、発光部２３とコリメートレンズ２７と３枚のダイクロイックミラー２４，２５，２６によって構成されている。発光部２３は、ハロゲンランプのような白色ランプ４５の背後に反射ミラー４６を配置し、前方にコリメートレンズ２７を配置したものであって、白色ランプ４５から出射された白色光は、コリメートレンズ２７により平行光となり、ダイクロイックミラー２４，２５，２６に照射される。
【００１５】
赤色光を選択的に反射するダイクロイックミラー２４、緑色光を選択的に反射するダイクロイックミラー２５、および青色光を選択的に反射するダイクロイックミラー２６は、互いに少しずつ角度を変えて配置されている。しかして、ダイクロイックミラー２４，２５，２６に入射した白色平行光は、ダイクロイックミラー２４で反射された赤色（Ｒ）平行光（赤色平行光の領域を破線によるハッチングで示す）と、ダイクロイックミラー２５で反射された緑色（Ｇ）平行光（緑色光は太線で示す）と、ダイクロイックミラー２６に反射された青色（Ｂ）平行光に分離されて液晶表示パネル１２側へ向けて出射される。ここで、３枚のダイクロイックミラー２４，２５，２６の傾きが異なっているので、赤色平行光と緑色平行光と青色平行光の光軸方向（光軸は１点鎖線で示す）も平行でなく、互いに異なっている。
【００１６】
なお、光源４４は、赤色光と緑色光と青色光を光軸方向の異なる光として出射するものであればよく、図９に示すような構成のものには限らない。例えば、回折格子あるいはホログラフィック素子でも可能である。
【００１７】
液晶表示パネル１２とマイクロレンズアレイ素子４３の構造を図１０に示す。液晶表示パネル１２は、２枚のガラス基板１７，１８間に液晶材料１９を封止した一般的な構造のものであって（図４参照）、画素（画素開口）２０を囲むようにしてブラックマトリクス領域１５が形成されている。マイクロレンズアレイ素子４３は、液晶表示パネル１２のガラス基板１７の外面に、あるいはその付近等に一体に形成されている。マイクロレンズアレイ素子４３は、ガラス板４７の上にマイクロレンズアレイ４８を成形し、その上に透明樹脂層４９を介してマイクロレンズアレイ５０を積層したものであって、マイクロレンズアレイ５０が液晶表示パネル１２のガラス基板１７上に成形されている。
【００１８】
ここで、マイクロレンズアレイ４８及び５０の主平面間の距離Ｌは、マイクロレンズアレイ５０の焦点距離に等しくなっており、マイクロレンズアレイ４８の屈折率をｎ１、透明樹脂層４９の屈折率をｎ２、マイクロレンズアレイ５０の屈折率をｎ３とすると、ｎ１＞ｎ２＞ｎ３となっている。
【００１９】
なお、図１２に示すように、マイクロレンズアレイ４８及び５０は、その凸面が対向するように配置してもよい。この場合には、マイクロレンズアレイ４８の屈折率ｎ１、透明樹脂層４９の屈折率ｎ２、マイクロレンズアレイ５０の屈折率ｎ３の関係は、ｎ１＞ｎ２、ｎ２＜ｎ３となる。
【００２０】
ダイクロイックミラー２４，２５，２６で分離して反射された赤色平行光、緑色平行光、青色平行光はマイクロレンズアレイ４８を透過することによって集光されるが、ダイクロイックミラー２４，２５，２６の傾きによって、これらの平行光は互いに光軸方向が異なっているから、異なった位置に集光される。そこで、マイクロレンズアレイ４８，５０は、赤色平行光、緑色平行光、青色平行光をそれぞれ隣接する画素２０内に集光させるように設計されており、これによってブラックマトリックス領域１５による光量ロスをなくしている。しかも、赤色光が集光される画素２０と緑色光が集光される画素２０と青色光が集光される画素２０を隣接させて３画素１組で１描点を構成させることにより、液晶表示パネル１２のカラー表示化を可能にしている。
【００２１】
マイクロレンズアレイ５０は、３画素１組となった画素２０に対して１つのレンズ５０ａが対応するように構成されており、マイクロレンズアレイ４８の各レンズ４８ａは、マイクロレンズアレイ５０の各レンズ５０ａと１対１に対応するように構成されている。
【００２２】
さらに、マイクロレンズアレイ素子４３は、マイクロレンズアレイ４８，５０間の距離（主平面間の距離）Ｌが光出射側のマイクロレンズアレイ５０のレンズ焦点距離と等しくなるように設定されているので、マイクロレンズアレイ素子４３を透過した赤色光、緑色光及び青色光の各光軸はマイクロレンズアレイ素子４３通過後は互いに平行となる。
【００２３】
液晶表示パネル１２を透過した赤色光、緑色光及び青色光は、光軸変換用のレンズ２８によって各光軸が結像レンズ４２の中心を通るように屈折され、結像レンズによってスクリーン２上に結像され、スクリーン２上にカラー画像が表示される。
【００２４】
しかして、液晶表示パネル１２の画素２０を通過した赤色光、緑色光及び青色光の光軸方向が平行となっているので、簡単な結像レンズ４２によって赤色光、緑色光及び青色光をスクリーン２上に結像させることができる。従って、結像レンズ４２として高価な組みレンズを用いる必要がなくなり、結像レンズ４２を軽量化でき、コストも安価にすることができる。
【００２５】
（マイクロレンズアレイ素子の製造方法）
マイクロレンズアレイ素子４３は、図１１（ａ）〜（ｈ）に示すように、液晶表示パネル１２のガラス基板１７と一体に形成される。まず、マイクロレンズアレイ５０の反転パターンを形成されたスタンパ５１上に紫外線硬化樹脂５２を供給し［図１１（ａ）］、その上からガラス基板１７を押し付けて紫外線硬化樹脂５２をスタンパ５１とガラス基板１７間に広げ、ガラス基板１７を通して紫外線を照射することにより紫外線硬化樹脂５２を硬化させ［図１１（ｂ）］、紫外線硬化樹脂５２によってマイクロレンズアレイ５０を成形し、樹脂硬化後にマイクロレンズアレイ５０をスタンパ５１から剥離する［図１１（ｃ）］。同様に、マイクロレンズアレイ４８の反転パターンを形成されたスタンパ５３上に紫外線硬化樹脂５４を供給し［図１１（ｄ）］、その上からガラス板４７を押し付けて紫外線硬化樹脂５４をスタンパ５３とガラス板４７間に広げ、ガラス板４７を通して紫外線を照射することによって紫外線硬化樹脂５４を硬化させ［図１１（ｅ）］、紫外線硬化樹脂５４によってマイクロレンズアレイ４８を成形し、樹脂硬化後にマイクロレンズアレイ４８をスタンパ５３から剥離する［図１１（ｆ）］。ついで、ガラス板４７の上に形成されたマイクロレンズアレイ４８の上に紫外線硬化樹脂５５を供給し［図１１（ｇ）］、マイクロレンズアレイ５０を下に向けたガラス基板１７を紫外線硬化樹脂５５の上に重ねて加圧し、マイクロレンズ４８，５０間の距離Ｌを調整した後、ガラス基板１７及びマイクロレンズアレイ５０を通して紫外線を照射することによって紫外線硬化樹脂５５を硬化させて透明樹脂層４９を成形し［図１１（ｈ）］、マイクロレンズアレイ素子４３が一体に製作される。
【００２６】
このマイクロレンズアレイ素子４３には、ガラス基板１７が一体化されているので、液晶表示パネル１２は、マイクロレンズアレイ素子４３を製作した後、マイクロレンズアレイ素子４３と一体化されているガラス基板１７の上に、ＴＦＴ等のスイッチン素子を形成したり、配線を施したりして、液晶表示パネル１２が一体に製作される。
【００２７】
（第２の実施形態）
図１３は本発明の別な実施形態による画像プロジェクタの液晶表示パネル１２及びマイクロレンズアレイ素子６１を示す一部破断した断面図である。この実施形態にあっては、液晶表示パネル１２のガラス基板１８上にマイクロレンズアレイ５０を成形し、その上に透明樹脂層６２を介してガラス板６３で覆っている。また、ガラス板４７上に成形されたマイクロレンズ４８を透明樹脂層６４を介して液晶表示パネル１２と一体化してある。
【００２８】
この実施形態では、液晶表示パネル１２の両側にマイクロレンズアレイ４８，５０が配置されているが、２枚のマイクロレンズアレイ４８，５０の主平面間の距離Ｌは、光出射側のマイクロレンズアレイ５０の焦点距離に等しくしている。また、マイクロレンズアレイ４８の屈折率ｎ１と透明樹脂層６４の屈折率ｎ５の間には、ｎ１＞ｎ５の関係があり、マイクロレンズアレイ５０の屈折率ｎ２と透明樹脂層６２の屈折率ｎ６の間には、ｎ２＞ｎ６の関係がある。
【００２９】
しかして、この実施形態にあっては、マイクロレンズアレイ４８で集光された赤色光、緑色光、青色光は互いに光軸方向が異なった状態でそれぞれの画素２０に集光されるが、液晶表示パネル１２の各画素２０を通過した赤色光、緑色光及び青色光はマイクロレンズアレイ５０で互いに光軸が平行となるように屈折され、光軸変換用のレンズ２８へ出射される。従って、やはり結像レンズ４２の構成を簡略にでき、結像レンズ４２を軽量化すると共にコストも安価にできる。
【００３０】
（第３の実施形態）
図１４に示すものは本発明のさらに別な実施形態による画像プロジェクタの液晶表示パネル１２とマイクロレンズアレイ素子７１の構成を示す一部破断した断面図である。この実施形態は、図１０の構成に加え、液晶表示パネル１２の光出射側のガラス基板１８の表面に、各画素２０を通過した光をコリメートさせるためのコリメートレンズアレイ７２を一体成形したものである。このコリメートレンズアレイ７２の各レンズ７２ａは、液晶表示パネル１２の各画素２０と１対１に対応している。
【００３１】
この実施形態では、液晶表示パネル１２の外面にコリメートレンズアレイ７２を備えているので、液晶表示パネル１２を通過した赤色光、緑色光及び青色光の光軸が平行となるように揃うだけでなく、画素２０を通過した赤色光、緑色光及び青色光が平行光としてコリメートレンズアレイ７２からレンズ２８へ向けて出射される。従って、液晶表示パネル１２の縁から出射された光が、レンズ２８外へ広がって画像の周辺部分で光量不足となるのを防止できる。
【００３２】
（第４の実施形態）
図１５は本発明のさらに別な実施形態による画像プロジェクタの液晶表示パネル１２とマイクロレンズアレイ素子８１の部分を示す一部破断した断面図である。
【００３３】
この実施形態では、液晶表示パネル１２を透過した赤色光、緑色光、青色光の光軸を液晶表示パネル１２と垂直な方向を向くように揃えるのでなく、各光軸が結像レンズ４２のレンズ中心を通るようにマイクロレンズアレイ４８，５０を構成している。この実施形態では、液晶表示パネル１２を通過した赤色光、緑色光、青色光が結像レンズ４２のレンズ中心に向けて出射されるので、光軸変換用のレンズ２８を不要にすることができる。
【００３４】
（第５の実施形態）
図１６（ａ）は本発明のさらに別な実施形態による画像プロジェクタ９１の構成を示す概略図である。この画像プロジェクタ９１にあっては、光源（図示せず）から出射された平行光を偏光ビームスプリッタ９２に入射させ、偏光ビームスプリッタ９２によってＰ偏光とＳ偏光とに分け、偏光ビームスプリッタ９２を透過したＳ偏光をプリズム９４で偏向させて液晶表示パネル１２に入射させる。また、偏光ビームスプリッタ９２で反射したＰ偏光をミラー９３で反射させた後、プリズム９４で偏向させて液晶表示パネル１２に入射させる。
【００３５】
図１６（ｂ）は液晶表示パネル１２の周囲の構造を示す概略断面図であって、液晶表示パネル１２の入射側と出射側にはそれぞれ、マイクロレンズアレイ素子９６を構成するマイクロレンズ４８及び５０が設けられており、マイクロレンズアレイ５０に対向して偏光フィルタ９５が設けられている。なお、９７，９８は透明樹脂層である。
【００３６】
しかして、液晶表示パネル１２に入射するＰ偏光とＳ偏光は光軸が反対側へ傾いているので、それぞれ隣接する所定に画素２０に集光される。この対となる画素２０を一方をオン、他方をオフとなるように制御し、あるいは、一方をオフ、他方をオンとなるように制御すれば、両画素２０を同時に光（Ｐ偏光、Ｓ偏光）が透過するか、あるいは同時に遮断される。従って、Ｐ偏光及びＳ偏光を同時に利用することができ、画像プロジェクタ９１の光量損失を低減して明るい画像を得ることができる。
【００３７】
また、この画像プロジェクタ９１にあっても、マイクロレンズアレイ５０によって光軸が平行に揃えられるので、レンズ２８を通過した光を結像させる結像レンズ４２として簡易なものを用いることができる。
【図面の簡単な説明】
【図１】従来のフロント投射方式の画像プロジェクタを示す概略図である。
【図２】従来のリア投射方式の画像プロジェクタを用いたＣＲＴプロジェクションテレビの断面図である。
【図３】従来の画像プロジェクタの構成を示す図である。
【図４】液晶表示パネルの一部破断した斜視図である。
【図５】同上の画像プロジェクタの問題点を説明する図である。
【図６】同上の問題点の解決手段を説明する図である。
【図７】カラー表示方式の画像プロジェクタの構成を示す図である。
【図８】同上の画像プロジェクタの問題点を示す図である。
【図９】本発明の一実施形態による画像プロジェクタの構成を示す図である。
【図１０】同上の画像プロジェクタの液晶表示パネル及びマイクロレンズアレイ素子の構造を詳細に示す一部破断した断面図である。
【図１１】同上のマイクロレンズアレイ素子の製造方法を示す図である。
【図１２】図１０とは異なるマイクロレンズアレイ素子の配置を示す一部破断した断面図である。
【図１３】本発明の別な実施形態におけるマイクロレンズアレイ素子の構造を示す一部破断した断面図である。
【図１４】本発明のさらに別な実施形態におけるマイクロレンズアレイ素子の構造を示す一部破断した断面図である。
【図１５】本発明のさらに別な実施形態におけるマイクロレンズアレイ素子の構造を示す一部破断した断面図である。
【図１６】（ａ）は本発明のさらに別な実施形態における画像プロジェクタの構成を示す図、（ｂ）はその液晶表示パネル及びマイクロレンズアレイ素子の構造を示す断面図である。
【符号の説明】
１２  液晶表示パネル
１７，１８  ガラス基板
４７  ガラス板
４８，５０  マイクロレンズアレイ
４８ａ，５０ａ  マイクロレンズアレイのレンズ
４９  透明樹脂層
【図１】
0003746905.tif 000002
【図２】
0003746905.tif 000003
【図３】
0003746905.tif 000004
【図４】
0003746905.tif 000005
【図５】
0003746905.tif 000006
【図６】
0003746905.tif 000007
【図７】
0003746905.tif 000008
【図８】
0003746905.tif 000009
【図９】
0003746905.tif 000010
【図１０】
0003746905.tif 000011
【図１１】
0003746905.tif 000012
【図１２】
0003746905.tif 000013
【図１３】
0003746905.tif 000014
【図１４】
0003746905.tif 000015
【図１５】
0003746905.tif 000016
【図１６】
0003746905.tif 000017